(57)【特許請求の範囲】
【請求項１】
外郭を構成する本体と、前記本体の上面に設けたトッププレートと、前記トッププレート上に設けた少なくとも１つの加熱部と、前記トッププレートの下方に前記加熱部に対応して設けた加熱手段と前記加熱部に対応して設けた発光手段とを備え、前記トッププレート下面を上層を有彩下地層とし下層を黒色膜層とした有彩色塗膜で覆い、前記有彩色塗膜の表層にシリコンを主成分とする保護層を施し、前記発光手段に対向する前記トッププレート下面の少なくとも一部は前記黒色膜層を設けない透光部を有しかつ前記透光部を斑点状に設けることにより、前記透光部及び内蔵部品を外観より見えにくくした加熱調理器。
【発明の詳細な説明】
【０００１】
【発明の属する技術分野】
本発明は、調理容器が載置されるトッププレートにおける塗膜構成に関する。
【０００２】
【従来の技術】
従来、この種の加熱調理器としては図７示すようなものがある。図は日本の一般家庭の台所で用いられている加熱部を３個有する、いわゆる３口の加熱調理器である。
【０００３】
加熱調理器の外郭を構成する本体１の上面は、耐熱性ガラス製のトッププレート２がトップフレーム３により外周部を覆われて配設されている。本体１内のトッププレート２の下面には、誘導加熱を行う誘導加熱コイル、あるいは電気ヒータ、ハロゲンヒータなどからなる加熱手段４が配置され、トッププレート２の表面上には、加熱手段４が配設されている位置に対応して加熱部５が設けられている。本体１の前面部にはダイアル型、押しボタン型などの固定式あるいは図に示すような開閉収納式の操作部６と、操作に応じて各種状態を表示する表示部７が設けられている。トッププレート２の上面は加熱部５の位置を示すための円状の印刷部８が印刷され、トッププレート２のデザイン性向上のため全体的あるいは部分的に石目状、斑点状、もしくは幾何学的な図柄が有彩色顔料で印刷されていた。それに加えて、近年は、加熱調理の状態を示す発光手段１０を加熱部５の近傍に備えたものが多く商品化されている。
【０００４】
また従来、本体１の色は黒色が一般的で最も多かったが、近年キッチンに合わせて本体１のカラー化（例えば、シルバー色など）のニーズが増えてきている。トッププレート２も黒色が主流であるが、トッププレート２の表面に有彩色印刷９（スクリーン印刷など）したものも商品化されている。
【０００５】
また、発光手段１０を備えるものにあっても、有彩色印刷９部が不透光もしくは半透光性であるため、印刷部を部分的に抜き、発光の視認性を改善されていた。
【０００６】
【発明が解決しようとする課題】
しかしながら、図７に示す従来の構成では、トッププレート２の上面に有彩効果を出すためには全体に及んで有彩色印刷９を施さなければならず、そうなればトッププレート２の持つガラス表面の光沢感が無くなり、しかも調理を繰り返していく中で印刷部が汚れやすく、汚れも目立ちやすい上、汚れが取れにくいという問題があった。
【０００７】
また、加熱調理の状態を示す発光手段１０による発光はトッププレート２の上面に有彩色印刷がされていない抜き部分（例えば透明部）を介して使用者に映し出されるが、斜めから見た場合に部分的に発光が遮られるため調理状態が認識し難いという問題があった。
【０００８】
また、このように発光手段１０に対向する部分のみトッププレート２の上面に有彩色印刷部を施さないことで視認性の課題を改善したものが商品化されているが、これによれば調理容器が滑りやすくなって調理操作に支障を生じたり、トッププレート２のガラス表面が傷付きやすくなるという問題があった。
【０００９】
さらには前記課題を最小限に解決するために、極力部分的に発光手段１０の近傍のみ図柄９を配させないようにすると、本体１を斜めから見ると発光手段１０の発光が図柄９と干渉し視認性が悪くなったり、デザイン的に問題があり商品性を低下させるという課題があった。
【００１０】
これら課題を解決するためにトッププレート２の下面に有彩色印刷９をすると本体１内に取り付けられてトッププレート２に圧接されるセンサー１１の熱拡散剤（例えばシリコンなど）がにじみ、トッププレート２の外観に映って見えたり、印刷工法上、トッププレートの下面に有彩色印刷９を施すと印刷の塗膜強度が著しく低下して組立作業時、サービス時に傷が付いて外観に支障を生じるという課題があった。
【００１１】
本発明は前記従来の課題を解決するもので、外観品位が良く、かつ使用性、信頼性の高い加熱調理器を提供することを目的とする。
【００１２】
【課題を解決するための手段】
前記目的を達成するために、外郭を構成する本体と、前記本体の上面に設けたトッププレートと、前記トッププレート上に設けた少なくとも１つの加熱部と、前記トッププレートの下方に前記加熱部に対応して設けた加熱手段と前記加熱部に対応して設けた発光手段とを備え、前記トッププレート下面を上層を有彩下地層とし下層を黒色膜層とした有彩色塗膜で覆い、前記有彩色塗膜の表層にシリコンを主成分とする保護層を施し、前記発光手段に対向する前記トッププレート下面の少なくとも一部は前記黒色膜層を設けない透光部を有しかつ前記透光部を斑点状に設けることにより、前記透光部及び内蔵部品を外観より見えにくくした構成とした。
【００１３】
この構成により、本体内に取り付けられてトッププレートに圧接されるセンサーの熱拡散剤（例えばシリコンなど）がにじみむこともなく、トッププレートの外観に映って見えたりしない。さらに、シリコンの保護層によって、有彩色印刷の塗膜強度が著しく向上して組立作業時、サービス時に傷が付くこともなくなる。
【００１４】
また、透光部が外観よりほとんど見えることもなく、内蔵部品が見えることも防止することができる。
【００１５】
【発明の実施の形態】
請求項１に記載の発明は、外郭を構成する本体と、本体の上面に設けたトッププレートと、トッププレート上に設けた少なくとも１つの加熱部と、トッププレートの下方に加熱部に対応して設けた加熱手段と前記加熱部に対応して設けた発光手段とを備え、トッププレート下面を上層を有彩下地層とし下層を黒色膜層とした有彩色塗膜で覆い、有彩色塗膜の表層にシリコンを主成分とする保護層を施し、前記発光手段に対向する前記トッププレート下面の少なくとも一部は前記黒色膜層を設けない透光部を有しかつ前記透光部を斑点状に設けることにより、前記透光部及び内蔵部品を外観より見えにくくした加熱調理器とした。これにより、本体内に取り付けられてトッププレートに圧接されるセンサーの熱拡散剤（例えばシリコンなど）がにじみむこともなく、トッププレートの外観に映って見えたりしない。さらに、シリコンの保護層によって、有彩色印刷の塗膜強度が著しく向上して組立作業時、サービス時に傷が付いて外観不良になることを解消できる。
【００１６】
また、有彩色塗膜を有彩下地層と黒色膜層で構成したものである。従来のようにトッププレートの上面に文字や円状の印刷をすると、トッププレート（厚み約４ｍｍ）の下面にある有彩塗膜に影になって映り込み、視認性が著しく低下することになるが、この構成によれば、文字や、円状の印刷部を有彩下地層の抜きによって黒色膜層で表示できるため視認性は格段に向上できる。
【００１７】
また、トッププレートの下方に加熱部に対応して設けた発光手段を備え、発光手段に対向するトッププレート下面の少なくとも一部は黒色膜層を設けない透光部を有する構成としたものである。一般的に、黒色膜層は不透光性もしくは半透光性であり、発光手段の発光が透過し難いが、有彩下地層のみであれば透光性は向上するため、この構成によれば、発光手段の透光性をさらに高め、視認性を大幅に向上することができる。
【００１８】
また、透光部を斑点状に設けた構成にしたものである。黒色膜層を除いて透光部を設けると、黒色膜層が存在する部分と色相が大きく異なるだけでなく、黒色膜層を除いた透光部より、本体内部の内蔵部品が見えるという課題が生じるが、この構成によれば、透光部が外観よりほとんど見えることもなく、内蔵部品が見えることも防止することができる。
【００１９】
【実施例】
以下、本発明の実施例について図面を参照しながら説明する。
【００２０】
（実施例１）
図１は本発明の実施例１における加熱調理器のトッププレートにおける要部断面を示すものである。本体全体の構成は従来例に示した通りでありトッププレートの塗膜構成の異なるところについて説明する。
【００２１】
図１に示すとおり、加熱調理器の外郭を構成する本体上面には、耐熱性ガラス製のトッププレート１２が配設されている。本体内のトッププレート１２の下面には加熱手段１４が配置されている。トッププレート１２の下面は有彩色塗膜２２で覆われ、有彩色塗膜２２の表層はシリコンを主成分とする保護層２３が施されてある。
【００２２】
以上の構成について、以下その作用を説明する。
【００２３】
本体内に取り付けられてトッププレート１２に圧接されるセンサー２１の熱拡散剤（例えばシリコンなど）はトッププレート１２とセンサー２１の間に介在している。通常は熱拡散剤が印刷膜に浸透してにじみが外観より見えるものであるが、有彩色塗膜２２の表層はシリコンを主成分とする保護層２３で覆われているため、にじみが抑制され、トッププレート１２の外観に映って見えたりしない。さらに、シリコンの保護層２３によって、有彩色塗膜２２の塗膜強度が著しく向上して組立作業時、サービス時に傷が付いて外観不良になることを解消できる。
【００２４】
以上のように、本実施例においては、シリコンの保護層２３によってトッププレート１２の下面に有彩色塗膜２２を設けた場合でも外観品位を損ねず、さらに品質を高めることができる。
【００２５】
（実施例２）
本発明の実施例２における加熱調理器のトッププレートにおける塗膜構成について説明する。なお、実施例１と異なる点を中心に説明する。
【００２６】
本実施例が実施例１と異なる点は、図２に示すように、有彩色塗膜２２を有彩下地層２２ａと黒色膜層２２ｂで構成したものである。従来のようにトッププレート１２の上面に文字や円状の印刷をすると、トッププレート１２（厚み約４ｍｍ）の下面にある有彩塗膜２２に影になって映り込み、視認性が著しく低下することになるが、この構成によれば、文字や、円状の印刷部を有彩下地層２２ａの抜きによって黒色膜層２２ｂで表示できるため視認性は格段に向上できる。
【００２７】
（実施例３）
本発明の実施例３における加熱調理器のトッププレートにおける塗膜構成について説明する。なお、実施例２と異なる点を中心に説明する。
【００２８】
本実施例が実施例２と異なる点は、図３に示すように、トッププレート１２の下方に加熱部１５に対応して設けた発光手段２０を備え、発光手段２０に対向するトッププレート１２下面の少なくとも一部は黒色膜層２２ｂを設けない透光部２４を有する構成としたものである。一般的に、黒色膜層２２ｂは不透光性もしくは半透光性であり、発光手段２０の発光が透過し難いが、有彩下地層２２ａのみであれば透光性は向上するため、この構成によれば、発光手段２０の透光性をさらに高め、視認性を大幅に向上することができる。
【００２９】
（実施例４）
本発明の実施例４における加熱調理器のトッププレートにおける塗膜構成について説明する。なお、実施例３と異なる点を中心に説明する。
【００３０】
本実施例が実施例３と異なる点は、図４に示すように、透光部２４を斑点状に設けた構成にしたものである。黒色膜層２２ｂを除いて透光部２４を設けると、黒色膜層２２ｂが存在する部分と色相が大きく異なるだけでなく、黒色膜層２２ｂを除いた透光部２４より、本体内部の内蔵部品が見えるという課題が生じる。しかしながらこの構成によれば、透光部２４が外観よりほとんど見えることもなく、内蔵部品が見えることも防止することができる。
【００３１】
（参考例１）
本発明の参考例１における加熱調理器のトッププレートにおける塗膜構成について説明する。なお、実施例２と異なる点を中心に説明する。
【００３２】
本参考例が実施例２と異なる点は、図５に示すように、有彩下地層２２ａに斑点状の非塗装部２５を設けた構成にしたものである。大きな面積を成して有彩塗膜部２２を構成すると、スクリーン印刷におけるスキージムラが生じて量産性に大きな課題が生じる。また、ムラを隠す（見えにくくする）ために従来のようにトッププレート１２の上面に斑点状の印刷をすると、トッププレート１２（厚み約４ｍｍ）の下面にある有彩塗膜２２に影になって映り込み、視認性が著しく低下することになる。しかしながらこの構成によれば、トッププレート１２の下面に斑点状の印刷部を設けることでムラを大幅に改善できるのはもちろんのこと、斑点状の印刷を有彩下地層２２ａの抜きによって黒色膜層２２ｂで表示できるため視認性は格段に向上でき、外観品位をさらに向上できる。
【００３３】
（参考例２）
本発明の参考例２における加熱調理器のトッププレートにおける塗膜構成について説明する。なお、参考例１と異なる点を中心に説明する。
【００３４】
本参考例が参考例１と異なる点は、図６に示すように、トッププレート１２の上面に透光性塗膜２６を設けた構成にしたものである。従来トッププレート１２上面に設けていた斑点状の印刷は、調理容器の滑り防止やトッププレート１２のガラス表面における傷付き防止効果を有していたが、斑点状の印刷をトッププレート１２下面の黒色膜層２２ｂで表示した上、トッププレート１２の上面に有彩顔料で印刷すると、印刷部が干渉して外観品が著しく低下する。しかしながら、この構成によれば、トッププレート１２の上面に設けたの印刷は透光性塗膜２５であるため、トッププレート１２下面への影の映り込みもなく、しかも調理容器の滑り防止、さらにはトッププレート１２の傷付き防止もできるものである。
【００３５】
【発明の効果】
以上のように本発明によれば、本体内に取り付けられてトッププレートに圧接されるセンサーの熱拡散剤（例えばシリコンなど）がにじみむこともなく、トッププレートの外観に映って見えたりしない。さらに、シリコンの保護層によって、有彩色印刷の塗膜強度が著しく向上して組立作業時、サービス時に傷が付くこともなくなる。
【００３６】
また、透光部が外観よりほとんど見えることもなく、内蔵部品が見えることも防止することができる。
【図面の簡単な説明】
【図１】  本発明の実施例１における加熱調理器のトッププレートの要部を示す断面図
【図２】  本発明の実施例２における加熱調理器のトッププレートの要部を示す断面図
【図３】  本発明の実施例３における加熱調理器のトッププレートの要部を示す断面図
【図４】  本発明の実施例４における加熱調理器のトッププレートの要部を示す断面図
【図５】  本発明の参考例１における加熱調理器のトッププレートの要部を示す断面図
【図６】  本発明の参考例２における加熱調理器のトッププレートの要部を示す断面図
【図７】  従来の加熱調理器を示す分解斜視図
【符号の説明】
１２  トッププレート
１４  加熱手段
１５  加熱部
２０  発光手段
２１  センサー
２２  有彩色塗膜
２２ａ  有彩色下地層
２２ｂ  黒色膜層
２３  保護層
２４  透光部
２５  非塗装部
２６  透光性塗膜
【図１】
0003885637.tif 000002
【図２】
0003885637.tif 000003
【図３】
0003885637.tif 000004
【図４】
0003885637.tif 000005
【図５】
0003885637.tif 000006
【図６】
0003885637.tif 000007
【図７】
0003885637.tif 000008